(57)【要約】  【課題】本発明は、ファイル、システム手帳等のバインダで綴じられる被綴じ体に関し、ピッチの異なる複数形態の綴じ穴数から所望の綴じ穴数を選択可能とさせることで使用に際して利便性を向上させることを目的とする。  【解決手段】綴じ穴形成部１６，１９が切取線１５，１８により切り取り自在に設けられた基体１２，１４を、当該綴じ穴形成部１６，１９に異なるピッチで所定数の綴じ穴１７，２０を形成させて所定数備え、それぞれの綴じ穴形成部１６，１９を重ね合わせた形態で、切取線１５，１８の基体側及び下方での固着部２１で接着させ、袋体される構成とする。  【選択図】  図１
2008246872.tif 000002
【特許請求の範囲】
【請求項１】
綴じ穴形成部が切取線により切り取り自在に設けられた基体を、当該綴じ穴形成部に異なるピッチで所定数の綴じ穴を形成させて所定数備え、
前記それぞれの綴じ穴形成部を重ね合わせた形態で、少なくとも前記切取線の基体側の固着部で接着されることを特徴とする被綴じ体。
【請求項２】
請求項１記載の被綴じ体であって、２つの前記基体により前記固着部を含めて袋体に接着されて所定数備えることを特徴とする被綴じ体。
【請求項３】
請求項１又は２記載の被綴じ体であって、前記２つの基体で形成された所定数の袋体若しくは所定数の前記基体が、前記固着部によりノート状に接着されることを特徴とする被綴じ体。
【発明の詳細な説明】
【技術分野】
【０００１】
本発明は、ファイル、システム手帳等のバインダで綴じられる被綴じ体に関する。
【背景技術】
【０００２】
従来、被綴じ体を脱着自在にファイリングするファイリングシステムには被綴じ体の大きさや規格、用途に応じて種々のバインダ形式がある。多くは、綴じ穴の数が異なるバインダを備えるファイリングシステムが利用者の用途、好みに応じて用意されている。逆に、被綴じ体はバインダの綴じ穴に適合したものがそれぞれ個別に用意されるもので、利用者は所持する、若しくは所望のバインダの綴じ穴数に応じてそれぞれ購入するのが現状である。
【０００３】
ところで、書類やカード等を、ファイル帳やシステム手帳等に綴じ込むための穿孔を１台のパンチ器で可能とする多機能パンチが下記特許文献で提案されている。この特許文献で提案されている多機能パンチによれば、１台のパンチ器で１穴から６穴まで６種類の孔あけを可能とするもので、利用者は無穴の書類やカード等に所持するバインダの綴じ穴数に応じて穿孔することができ、利用者の便に供し、事務能率の向上が図られるとしている。
【０００４】
【特許文献１】特開２００２−２７３６９７号公報
【発明の開示】
【発明が解決しようとする課題】
【０００５】
しかしながら、上記特許文献の多機能パンチで６種類の穿孔を可能としても、利用者はファインダの綴じ穴数に応じてその都度穿孔するという作業をしなければならず、煩わしさを解消することができず、また、綴じ穴数が多くなった場合には対処することができないか、若しくは所望数まで穿孔作業を繰り返さなければならないという問題がある。
【０００６】
そこで、本発明は上記課題に鑑みなされたもので、ピッチの異なる複数形態の綴じ穴数から所望の綴じ穴数を選択可能とさせることで使用に際して利便性のある被綴じ体を提供することを目的とする。
【課題を解決するための手段】
【０００７】
上記課題を解決するために、請求項１の発明では、綴じ穴形成部が切取線により切り取り自在に設けられた基体を、当該綴じ穴形成部に異なるピッチで所定数の綴じ穴を形成させて所定数備え、前記それぞれの綴じ穴形成部を重ね合わせた形態で、少なくとも前記切取線の基体側の固着部で接着される構成とする。
【０００８】
請求項２、３の発明では、「２つの前記基体により前記固着部を含めて袋体に接着されて所定数備える」構成であり、
「前記２つの基体で形成された所定数の袋体若しくは所定数の前記基体が、前記固着部によりノート状に接着される」構成である。
【発明の効果】
【０００９】
本発明によれば、綴じ穴形成部が切取線により切り取り自在に設けられた基体を、当該綴じ穴形成部に異なるピッチで所定数の綴じ穴を形成させて所定数備え、それぞれの綴じ穴形成部を重ね合わせた形態で、少なくとも切取線の基体側の固着部で接着される構成とすることにより、ピッチの異なる複数形態の綴じ穴数から所望の綴じ穴数を選択可能とさせることで使用に際して利便性を向上させることができるものである。
【発明を実施するための最良の形態】
【００１０】
以下、本発明の最良の実施形態を図により説明する。
図１に、本発明に係る被綴じ体の第１実施形態の構成図を示す。図１（Ａ）は被綴じ体の正面図、図１（Ｂ）は背面図、図１（Ｃ）は図１（Ａ）のＡ−Ａ概略断面図である。図１（Ａ）〜（Ｃ）において、被綴じ体１１は、例えばＡ４サイズを内包可能な透明フィルムの第１基体１２に切取線１５により切り取り自在に綴じ穴形成部１６が設けられ、当該綴じ穴形成部１６には例えば３０穴（２穴共用）としての綴じ穴１７が形成される。
【００１１】
一方、第１基体１２と同サイズの透明フィルムの第２基体１４に切取線１８により切り取り自在に綴じ穴形成部１６が設けられ、当該綴じ穴形成部１６には例えば４穴（２穴共用）としての綴じ穴２０が上記綴じ穴１７と異なるピッチで形成される。上記第１基体１２と第２基体１４とは綴じ穴形成部１６，１９と反対側で連接されており、折り線１３（必ずしも必要ではない）により、当該綴じ穴形成部１６，１９を重ね合わせた形態で折り込まれ、当該第１基体１２及び第２基体１４の切取線１５，１８の基体側及び下方側が固着部２１で接着（例えば溶着）されて袋体とされたものである。
【００１２】
ここで、図２に、図１の被綴じ体の製造に係る説明図を示す。まず、長方体の透明フィルムの基体が用意され、両端から所定長の部分に切取線１５，１８が例えばミシン刃又はレーザ加工により形成されることで綴じ穴形成部１６，１９が形成される。後に、綴じ穴形成部１６が形成された側が第１基体１２となり、綴じ穴形成部１９が形成された側が第２基体１４となる。
【００１３】
そして、図２（Ａ）に示すように、綴じ穴形成部１６には、例えば３０穴として５ｍｍ径の綴じ穴１７がピッチ９．５ｍｍで形成されると共に、２穴と共用させる８０ｍｍピッチの綴じ穴（共用部分で長穴となる）も同時に形成される。また、綴じ穴形成部１９には、例えば４穴（２穴共用）として５．５ｍｍ径の綴じ穴２０が上記綴じ穴１７と異なるピッチ８０ｍｍで形成される。これら綴じ穴１７，２０は、綴じ穴数に応じたパンチ又はレーザ加工により形成される。なお、レーザ加工する場合には、上記切取線１５，１８及び綴じ穴１７，２０を同時に形成してもよい。
【００１４】
続いて、図２（Ｂ）に示すように、それぞれの綴じ穴形成部１６，１９を同位置とさせる用に折り重ね合わせ、第１基体１２及び第２基体１４の切取線１５，１８の基体側及び下方側が固着部２１で接着される。この場合、折り込む部分に適宜折り線１３を形成させることで容易に重ね合わせることができる。また、固着部２１の接着は、例えば熱溶着、レーザ溶着により行われる。すなわち、第１基体１２及び第２基体１４は、上方を開放とした袋体が形成され、ホルダとしての使用形態を提供する。
【００１５】
そこで、図３及び図４に、図１の被綴じ体における使用例の説明図を示す。図１（Ａ）〜（Ｃ）に示す被綴じ体１１は、使用に際して、使用者が例えば３０穴のバインダファイルを所有していれば、図３（Ａ）に示すように第２基体１４に設けられた綴じ穴形成部１９を切取線１８より切り取ることにより、図３（Ｂ）に示すような３０穴ファイル可能な袋体の被綴じ体１１とされる。
【００１６】
また、使用者が例えば４穴のバインダファイルを所有していれば、図４（Ａ）に示すように第１基体１２に設けられた綴じ穴形成部１６を切取線１５より切り取ることにより、図４（Ｂ）に示すような４穴ファイル可能な袋体の被綴じ体１１とされる。なお、綴じ穴形成部１６に形成された綴じ穴１７と、綴じ穴形成部１９に形成された綴じ穴２０とは、２穴で共用できることから、２穴のバインダファイルに使用させる場合にはどちらの綴じ穴形成部１６，１９も切り取る必要はない。
【００１７】
このように、この第１実施形態では３０穴の綴じ穴形成部１６若しくはピッチの異なる４穴の複数形態の綴じ穴数から所望の綴じ穴数を選択可能とさせることができ、例えば３０穴のバインダファイル及び４穴のバインダファイルの両方を所有している場合には何れにも使用可能となって特に有効であり、使用に際して利便性を向上させることができるものである。なお、上記実施形態では、３０穴と４穴とを選択的に使用させる場合を示したが、他の綴じ穴数での組み合わせにおいても適用することができるものである。
【００１８】
ところで、一の綴じ穴形成部で複数の綴じ穴数を共有させることも可能ではあるが、そうすると決められた長さの綴じ穴形成部に形成させる綴じ穴が多くなり、綴じ穴が複数の長穴になると共に、綴じ穴間の間隔が狭くなってバインダに綴じたときの強度が不足することにもなりかねないのに対し、本発明では、形成させる綴じ穴数は最小必要限で済み、強度不足になることもない。このことは、以下の実施形態においても同様である。
【００１９】
次に、図５に、本発明に係る被綴じ体の第２実施形態の構成図を示す。図５（Ａ）〜（Ｃ）に示す被綴じ体３１は、例えばＡ４サイズ用紙の第１基体３２に切取線３５により切り取り自在に綴じ穴形成部３６が設けられ、当該綴じ穴形成部３６には例えば３０穴（２穴共用）としての綴じ穴３７が形成される。また、第１基体３２と同サイズの用紙の第２基体３４に切取線３８により切り取り自在に綴じ穴形成部３６が設けられ、当該綴じ穴形成部３６には例えば４穴（２穴共用）としての綴じ穴４０が上記綴じ穴３７と異なるピッチで形成されたものである。
【００２０】
上記第１基体３２及び第２基体３４は、第１実施形態の第１基体１２及び第２基体１４とは異なって枚葉であり、当該綴じ穴形成部３６，３９を重ね合わせた形態で固着部４１が例えば接着剤により接着されたものである。すなわち、第１基体３２及び第２基体３４は固着部４１によりノート状に接着された被綴じ体３１である。なお、第１基体３２及び第２基体３４を透明フィルムとして上方辺を開放として他の三辺を接着すると第１実施形態の袋体（ホルダ）の被綴じ体１１と同様となる。
【００２１】
そこで、図６に、図５の被綴じ体における使用例の説明図を示す。図６において、図５（Ａ）〜（Ｃ）に示す被綴じ体３１は、使用に際して、使用者が例えば３０穴のバインダファイルを所有していれば、図６（Ａ）に示すように第２基体１４に設けられた綴じ穴形成部３９を切取線３８より切り取ることにより３０穴ファイル可能な被綴じ体３１とされる。
【００２２】
また、使用者が例えば４穴のバインダファイルを所有していれば、図６（Ｂ）に示すように第１基体３２に設けられた綴じ穴形成部３６を切取線３５より切り取ることにより４穴ファイル可能な被綴じ体３１とされる。なお、上記同様に、綴じ穴形成部３６に形成された綴じ穴３７と、綴じ穴形成部３９に形成された綴じ穴２０とは、２穴で共用できることから、２穴のバインダファイルに使用させる場合にはどちらの綴じ穴形成部３６，３９も切り取る必要はない。
【００２３】
このように、第１実施形態と同様に、３０穴の綴じ穴形成部３６若しくはピッチの異なる４穴の複数形態の綴じ穴数から所望の綴じ穴数を選択可能とさせることができ、例えば３０穴のバインダファイル及び４穴のバインダファイルの両方を所有している場合には何れにも使用可能となって特に有効であり、使用に際して利便性を向上させることができるものである。なお、第２実施形態では、２つの基体で構成した場合を示したが、これ以上の基体で構成しても同様である。
【００２４】
次に、図７に、本発明に係る被綴じ体の第３実施形態の構成図を示す。図７に示す被綴じ体５１は、例えば２つ（これ以上でもよい）の図１に示す被綴じ体１１を固着部２１と同位置の固着部５２で接着して、互いの袋体をノート状としたものである。
【００２５】
例えば、当該被綴じ体５１をルーズリーフタイプ用、セールスマニュアル用及びユーザーズマニュアル用のホルダ（袋体）に適用させる場合として、綴じ穴形成部１６Ａにルーズリーフタイプ用の３０穴（２穴共用）５ｍｍ径の綴じ穴を９．５ｍｍピッチで形成し、綴じ穴形成部１９Ａにセールスマニュアル用の４穴（２穴共用）５．５ｍｍ径の綴じ穴を８０ｍｍピッチで形成し、綴じ穴形成部１６Ｂにユーザーズマニュアル用の５穴６ｍｍ径の綴じ穴を４０ｍｍピッチで形成し、綴じ穴形成部１９Ｂにユーザーズマニュアル用の５穴６ｍｍの綴じ穴を６８ｍｍピッチで形成する。
【００２６】
そこで、図８に、図７の被綴じ体における使用例の説明図を示す。図７に示す被綴じ体５１は、使用に際して、使用者が例えば３０穴のルーズリーフタイプ用のバインダファイルを所有していれば、図８（Ａ）に示すように第１基体１２Ａに設けられた綴じ穴形成部１６Ａを残して他の綴じ穴形成部１９Ａ，１６Ｂ，１９Ｂを切取線１８Ａ，１５Ｂ，１８Ｂより切り取ることにより３０穴ファイル可能な袋体の被綴じ体５１とされる。
【００２７】
また、使用者が例えば４穴のセールスマニュアル用のバインダファイルを所有していれば、図８（Ｂ）に示すように第２基体１４Ａに設けられた綴じ穴形成部１９Ａを残して他の綴じ穴形成部１６Ａ，１６Ｂ，１９Ｂを切取線１５Ａ，１５Ｂ，１８Ｂより切り取ることにより４穴ファイル可能な袋体の被綴じ体５１とされる。さらに、使用者が例えば５穴４０ｍｍピッチのユーザーズマニュアル用のバインダファイルを所有していれば、図８（Ｃ）に示すように第１基体１２Ｂに設けられた綴じ穴形成部１６Ｂを残して他の綴じ穴形成部１６Ａ，１９Ａ，１９Ｂを切取線１５Ａ，１５Ｂ，１８Ｂより切り取ることにより５穴４０ｍｍピッチファイル可能な袋体の被綴じ体５１とされる。
【００２８】
そして、使用者が例えば５穴６８ｍｍピッチのユーザーズマニュアル用のバインダファイルを所有していれば、図８（Ｄ）に示すように第２基体１４Ｂに設けられた綴じ穴形成部１９Ｂを残して他の綴じ穴形成部１６Ａ，１６Ｂ，１９Ａを切取線１５Ａ，１５Ｂ，１８Ａより切り取ることにより５穴６８ｍｍピッチファイル可能な袋体の被綴じ体５１とされるものである。
【００２９】
このように、上記同様に、ピッチの異なる３０穴、４穴及び２種類の５穴の綴じ穴形成部１６Ａ，１６Ｂ，１９Ｂ，１９Ｂの複数形態の綴じ穴数から所望の綴じ穴数を選択可能とさせることができ、例えばルーズリーフタイプ用、セールスマニュアル用及びユーザーズマニュアル用のホルダ（袋体）をファイリングするバインダファイルを所有している場合には何れにも使用可能となって特に有効であり、使用に際して利便性を向上させることができるものである。
【産業上の利用可能性】
【００３０】
本発明の被綴じ体は、ファイル、システム手帳等のバインダで綴じられるマニュアル、帳簿、ルーズリーフ、カタログ、ＣＩ清刷り集、帳票、カード若しくはドキュメント等のホルダ、ルーズリーフなどに利用可能である。
【図面の簡単な説明】
【００３１】
【図１】本発明に係る被綴じ体の第１実施形態の構成図である。
【図２】図１の被綴じ体の製造に係る説明図である。
【図３】図１の被綴じ体における使用例の説明図（１）である。
【図４】図１の被綴じ体における使用例の説明図（２）である。
【図５】本発明に係る被綴じ体の第２実施形態の構成図である。
【図６】図５の被綴じ体における使用例の説明図である。
【図７】本発明に係る被綴じ体の第３実施形態の構成図である。
【図８】図７の被綴じ体における使用例の説明図である。
【符号の説明】
【００３２】
１１，３１，５１        被綴じ体
１２，３２              第１基体
１３                    折り線
１４，３４              第２基体
１５，１８，３５，３８  切取線
１６，１９，３６，３９  綴じ穴形成部
１７，２０，３７，４０  綴じ穴
２１，４１，５２        固着部
【図１】
2008246872.tif 000003
【図２】
2008246872.tif 000004
【図３】
2008246872.tif 000005
【図４】
2008246872.tif 000006
【図５】
2008246872.tif 000007
【図６】
2008246872.tif 000008
【図７】
2008246872.tif 000009
【図８】
2008246872.tif 000010